(57)【特許請求の範囲】
【請求項１】
先端部に開口する先端側開口端と、基端側に開口する基端側開口端との間を連通する処置具挿通路を備えた挿入部と、
前記基端側開口端に配置された処置具挿通口金部を有し、前記処置挿通路に挿通する処置具のワイヤを前記基端側開口端にて締め付け固定するロック機構を備えた連結部と、
を具備する内視鏡装置であって、
前記連結部の前記ロック機構は、
前記処置具挿通路に挿通する処置具のワイヤを前記基端側開口端にて締め付けて固定可能な締め付け部を有する締め付け固定部と、
前記締め付け固定部に相対的に回動自在に取り付けられ、この回動に連動して前記締め付け部を押圧して前記締め付け部を締め付ける押圧部を有する締め付け回動部と、
前記締め付け回動部の前記締め付け固定部からの抜け落ちを防止する抜け落ち防止部と、
を具備し、
前記締め付け回動部は、
内周面から突起する少なくとも１つの突起部を有し、
前記抜け落ち防止部は、
基端側が前記締め付け固定部の外周面と前記締め付け回動部材の内周面との間に配置され、先端側が前記締め付け固定部に固定された円筒状部材で構成されたもので、
この円筒状部材の先端側に前記突起部を規制して前記締め付け回動部の抜け落ちを防止する規制部を設けて構成した
ことを特徴とする内視鏡装置。
【請求項２】
前記締め付け回動部材は、
外周面から回動軸方向に向けて内周面を連通する少なくとも１つのねじ穴を有し、
前記突起部は、
前記ねじ穴に螺合するねじである
ことを特徴とする請求項１に記載の内視鏡装置。
【請求項３】
前記締め付け固定部の前記締め付け部は、
前記基端側開口端を有する先端部が先細のテーパー形状に形成されるとともに、前記基端側開口端を介して前記処置具挿通路の長手方向に切り欠きを有して構成され、
前記締め付け回動部の前記押圧部は、
前記締め付け部に嵌合して接触する嵌合穴を有し、
この嵌合穴は内径が先細のテーパー形状に形成された
ことを特徴とする請求項１又は請求項２に記載の内視鏡装置。
【請求項４】
前記締め付け回動部は、
前記締め付け固定部に相対的に回動自在な摘み操作部と、
前記摘み操作部の先端側に取り付けられ、前記処置具とは異なる処置具を装着可能な前記押圧部を備えた接続部と
を有して構成した
ことを特徴とする請求項１から請求項３の何れか１項に記載の内視鏡装置。
【発明の詳細な説明】
【技術分野】
【０００１】
本発明は、処置具挿通路を具備する内視鏡装置に関する。
【背景技術】
【０００２】
内視鏡装置は、医療分野及び工業用分野において広く利用されている。医療分野において用いられる内視鏡装置は、内視鏡の細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡装置は、内視鏡の細長い挿入部をジェットエンジン内や、工場の配管等に挿入することによって、被検部位の傷及び腐蝕等の観察や各種処置等を行うことができる。
【０００４】
このような工業用の内視鏡装置には、例えば先端部に、撮像レンズやＣＣＤ等の撮像素子を有する撮像ユニットが配設された細長の挿入部を有する内視鏡と、この内視鏡が接続された装置本体とにより構成されているものがある。尚、小型の内視鏡装置においては、挿入部の先端にＬＥＤ等の光源が配設されているものもある。
【０００５】
装置本体内には、内視鏡を駆動する各種部材、具体的には、撮像ユニットや光源の駆動を行う電気回路、撮像ユニットから出力された撮像後の画像信号を処理する画像処理ユニット、この画像処理ユニットにより処理された画像データを記録する記録媒体、表示部及び内視鏡や装置本体に電力を供給するバッテリ等が設けられている。
【０００６】
また、内視鏡は、挿入部に、先端部を上下方向及び左右方向の任意の方向に湾曲させるための湾曲部と、鉗子等の処置具を挿入するための処置具チャンネルとを設けて構成されたものも周知である。また、内視鏡は、湾曲部の湾曲動作等の操作を行うための例えばジョィスティック等で構成された操作部を有している。
【０００７】
このような内視鏡を有する従来の内視鏡装置としては、操作部による湾曲部の湾曲操作と、処置具等の操作の両方を簡単に行うことができ、操作性を向上させるための構成を有する内視鏡装置が、例えば特許文献１によって開示されている。
【０００８】
特許文献１に開示された内視鏡装置は、操作部と、挿入部の先端側に開口する先端側開口端と挿入部の基端側に開口する基端側開口端との間を連通する処置具チャンネルとを備え、この処置具チャンネルの基端側開口端の周辺部と操作部との間を着脱可能に連結する連結部を設け、操作部と基端側開口端の周辺部との間を連結した状態で、操作部の湾曲操作の作動領域と干渉しない位置に処置具チャンネルの基端側開口端を配置した構成となっている。
【０００９】
また、特許文献１の内視鏡装置には、処置具チャンネルに挿通され基端側開口端を介して導出されるフック処置具のワイヤを締付けて固定する固定金具等のロック機構を連結部に設けた構成が開示されている。
【００１０】
このロック機構を構成する固定金具は、連結部の基端側開口端に設けられて挿通するフック処置具のワイヤをねじの螺合により押圧して締め付け可能な押圧部を備えた締め付け固定部と、この締め付け固定部に螺合することで、締め付け固定部の押圧部の締め付けにより基端側開口端に挿通する処置具のワイヤを締め付け固定する締め付けナットとを有して構成されている。
【００１１】
このようなロック機構を備えた構成により、特許文献１の内視鏡装置は、連結部の基端側開口端により導出されるフック処置具のワイヤを、ロック機構の締め付け固定部と締め付けナットとの螺合による締め付け固定によって、フック処置具のフック部を例えばタービンブレードに引っ掛けた状態で係止することを可能にしている。
【特許文献１】特開２００４−８６２０８号公報
【発明の開示】
【発明が解決しようとする課題】
【００１２】
しかしながら、特許文献１に記載の内視鏡装置では、ロック機構を構成する締め付け固定部と締め付けナットとが夫々分離する別部材であるため、締め付けナットを締め付け固定部から取り外した後、締め付けナットを紛失してしまう可能性があった。また、締め付けナットはフック処置具のワイヤの固定用であるため、フック処置具ではない処置具を内視鏡に用いる場合にも、同様の問題が生じてしまう。
【００１３】
また、フック処置具を内視鏡に装着する際には、分離した締め付けナットを手に持ちながらこの締め付けナット及び締め付け固定部にフック処置具のワイヤを挿通した後に、この締め付けナットを螺合して締め付け固定しなければならず、操作性が悪いといった問題点もあった。
【００１４】
そこで、本発明は前記問題点に鑑みてなされたもので、ロック機構の操作性を向上させた内視鏡装置を提供することを目的とする。
【課題を解決するための手段】
【００１５】
本発明の内視鏡装置は、先端部に開口する先端側開口端と、基端側に開口する基端側開口端との間を連通する処置具挿通路を備えた挿入部と、前記基端側開口端に配置された処置具挿通口金部を有し、前記処置挿通路に挿通する処置具のワイヤを前記基端側開口端にて締め付け固定するロック機構を備えた連結部と、を具備する内視鏡装置であって、前記連結部の前記ロック機構は、前記処置具挿通路に挿通する処置具のワイヤを前記基端側開口端にて締め付けて固定可能な締め付け部を有する締め付け固定部と、前記締め付け固定部に相対的に回動自在に取り付けられ、この回動に連動して前記締め付け部を押圧して前記締め付け部を締め付ける押圧部を有する締め付け回動部と、前記締め付け回動部の前記締め付け固定部からの抜け落ちを防止する抜け落ち防止部と、を具備し、前記締め付け回動部は、内周面から突起する少なくとも１つの突起部を有し、前記抜け落ち防止部は、基端側が前記締め付け固定部の外周面と前記締め付け回動部材の内周面との間に配置され、先端側が前記締め付け固定部に固定された円筒状部材で構成されたもので、この円筒状部材の先端側に前記突起部を規制して前記締め付け回動部の抜け落ちを防止する規制部を設けて構成した。
【発明の効果】
【００１６】
本発明によれば、ロック機構の操作性を向上させた内視鏡装置を提供することが可能となる。
【発明を実施するための最良の形態】
【００１７】
以下、図面を参照して本発明の実施の形態を説明する。  
尚、以下、内視鏡装置は、ショルダ式の工業用の内視鏡装置を例に挙げて説明する。
【００１８】
（一実施の形態）
図１から図６は本発明の撮像装置の一実施の形態に係り、図１は一実施の形態の内視鏡装置を、装置本体からモニタを開成した状態で示す斜視図、図２は図１の連結部を備えた操作部を手元側からみた状態の斜視図、図３は図２の連結部の摘み部近傍の拡大斜視図、図４は連結部に設けられたロック機構の構成を説明するもので、図３の連結部の一部破断した断面図、図５は図２の操作部を上から見た場合の外観構成を示す上面図、図６は図５の操作部を連結部側から見た場合の正面図である。
【００１９】
図１に示すように、内視鏡装置１は、内視鏡２と、この内視鏡２に接続された装置本体３とにより主要部が構成されている。   
内視鏡２は、細長で可撓性を有する挿入部１３と、この挿入部１３の挿入方向基端側に連結部１４を介して接続された操作部１５と、この操作部１５から延出された可撓性を有する接続ケーブルであるユニバーサルコード１６とにより主要部が構成されている。尚、図示はしないがユニバーサルコード１６の延出端にはコネクタボックスが接続されており、ユニバーサルコード１６及びコネクタボックスにより、内視鏡２と装置本体３とは接続されている。
【００２０】
ここで、まず、装置本体３の構成を説明し、本発明の主要部を有する内視鏡２の構成については後述する。  
装置本体３は、例えば箱状を有しており、装置本体３の外装筐体４に、内視鏡２の撮像ユニットにより撮像された内視鏡画像を表示する画像表示面５を有するモニタ６が固定されている。
【００２１】
詳しくは、モニタ６は、画像表示面５を有するモニタ面６ａの裏面６ｂが、装置本体３の外装筐体４の図１中背面側に装着された図示しないコネクタボックスに対して開閉自在となるよう、蝶番等を介して装置本体３の外表面に固定されている。
【００２２】
モニタ６は、内視鏡装置１が未使用の際は、モニタ６の裏面６ｂが、コネクタボックスを覆う閉位置に閉成され、内視鏡装置１が使用される際は、裏面６ｂが、コネクタボックスに対して離間してコネクタボックスを露出させる開位置に開成される。
【００２３】
モニタ６のモニタ面６ａに、内視鏡装置１が未使用の際、画像表示面５を覆って保護するカバー板７が固定されている。カバー板７は、画像表示面５に対向するカバー板７の対向面７ａが、画像表示面５に対して開閉自在となるよう、モニタ面６ａに固定されている。
【００２４】
また、カバー板７は、内視鏡装置１が未使用の際は、カバー板７の対向面７ａが、画像表示面５に対して当接して画像表示面５を覆う閉位置に閉成され、内視鏡装置１が使用される際は、対向面７ａが、画像表示面５に対して離間する開位置に開成される。
【００２５】
箱状の装置本体３の外装筐体４の角部に、装置本体３を戴置するための例えばＮＢＲ等のゴムにより形成された、複数の脚部８が固定されている。脚部８は、装置本体３を、地表等に対し、複数の姿勢により載置できるように設けられたものである。
【００２６】
装置本体３の外装筐体４の図１中背面側の図示しないコネクタボックス収容室に、前記コネクタボックスが、着脱コネクタ１２により装着されている。このコネクタボックスの内部には、後述する内視鏡２の観察光学系を構成する撮像ユニットや光源の駆動を行う基板や、撮像ユニットから出力された被写体の画像信号を処理する画像処理用の基板等の電気部品が設けられている。
【００２７】
また、装置本体３の外装筐体４により覆われた内部には、コネクタボックス以外の電気部品や、画像処理用の基板により画像処理された画像データを記録する記録媒体や、内視鏡２及び装置本体３に電力を供給する図示しないバッテリ等が設けられている。
【００２８】
このバッテリは、例えば外装筐体４の側面に対し、蝶番９により開閉自在に設けられたバッテリ用蓋体１０の開閉により、装置本体３内に設けられた図示しないバッテリ収容室に対し、挿抜自在に収容される構成となっている。また、バッテリがバッテリ収容室に挿入され収容された後、バッテリ用蓋体１０は、固定ピン１１によりロックされる。尚、その他の装置本体３内の内容物の配置構造は、周知の構成であるため、その説明は省略する。
【００２９】
次に、本発明の主要部を有する内視鏡２の具体的な構成を図１〜６を参照して説明する。
【００３０】
図１に示すように、内視鏡２の挿入部１３は、最先端位置に配置され、対物レンズ等の対物光学系及び被検部位を撮像するＣＣＤ等の撮像素子を有する撮像ユニット等で構成された観察用の観察光学系や被検部位を照明するための照明光学系等が組み込まれた先端部１７と、この先端部１７に連設され、遠隔的に湾曲操作可能な湾曲部１８と、この湾曲部１８の挿入方向基端側に連設される細長い可撓管部１９とを有して構成されている。
【００３１】
先端部１７の先端面には、図１に示すように照明光学系用の照明窓２０と、観察光学系用の観察窓２１と、挿入部１３の内部に配設された処置具挿通路である処置具チャンネル２２ａ（図４参照）の先端側開口端２２等が配設されている。
【００３２】
さらに、挿入部１３の先端側内部には、ＬＥＤ等の光源と、観察光学系の撮像ユニットのＣＣＤ等の撮像素子に接続された電気ケーブルと、湾曲部１８を湾曲操作する湾曲操作ワイヤ等が配設されている。
【００３３】
尚、挿入部１３内に配設された処置具チャンネル２２ａは、先端側開口端と挿入部１３の基端側の後述する基端側開口端３３（図３及び図４参照）との間を連通している。
【００３４】
また、挿入部１３の可撓管部１９の基端部には、連結部１４の先端部が連結されている。そして、この連結部１４の基端側は、操作部１５に接続されている。
【００３５】
ここで、連結部１４と操作部１５との構成について図２を用いて説明する。  
図２は操作部１５をユニバーサルコード１６側からみた後方の斜視図である。図２に示すように、操作部１５は、本体部１５Ａと、この本体部１５と一体的に設けられた把持部１５Ｂと、挿入部１３の湾曲部１８の湾曲操作するための湾曲操作部を構成する例えばジョイスティック１５Ｃとを有して構成されている。  
尚、湾曲操作部は、ジョイスティック１５Ｃに限定されるものではなく、他の入力手段を用いて構成しても良い。
【００３６】
操作部１５の後方側（ユニバーサルコード側）の本体部１５Ａからはユニバーサルコード１６が延出されている。また、操作部１５の前方側（挿入部側）の本体部１５Ａには連結部１４が接続されている。
【００３７】
連結部１４は、図１及び図２に示すように、挿入部１３の基端側と操作部１５との間に接続されている。そして、連結部１４は、処置具チャンネル２２ａ（図４）を内部に有し、処置具チャンネル２２ａに挿通するフック処置具２３のワイヤ２３ｂを基端側開口端３３近傍にて締め付け固定するロック機構３０を備えて構成されている。
【００３８】
具体的には、連結部１４は、本体１４Ａと、この本体１４Ａに一体的に構成され、処置具チャンネル２２ａが配置された処置具挿通口部１４Ｂと、本体１４Ａと処置具挿通口部１４Ｂとの補強枠部材である接続プレート１４Ｃと、ロック機構３０とを有して主要部が構成されている。
【００３９】
処置具挿通口部１４Ｂには、図２及び図３に示すように、後述する締め付け回動部である摘み操作部３１が配設されている。この摘み操作部３１の内側には、例えばフック処置具２３のワイヤ２３ｂを基端側開口端３３に案内すると共に、他の処置具を装着するための接続部３２が装着されている。
【００４０】
次に、本実施の形態の主要部である連結部１４のロック機構３０の構成を、図４を用いて説明する。  
本実施の形態の内視鏡装置１において、連結部１４のロック機構３０は、図４に示すように、処置具チャンネル２２ａに挿通するフック処置具２３のワイヤ２３ｂを基端側開口端３３近傍にて締め付けて固定可能な締め付け部３６ａを有する締め付け固定部３６と、この締め付け固定部３６に相対的に回動自在に取り付けられ、この回動に連動して締め付け部３６ａを押圧してこの締め付け部３６ａを締め付ける押圧部３２ａを有する締め付け回動部である摘み操作部３１と、この摘み操作部３１の締め付け固定部３６からの抜け落ちを防止する抜け落ち防止部である抜け落ち防止部材３７とを有して主要部が構成されている。尚、締め付け固定部である摘み操作部３１は、締め付けナットに相当するものである。
【００４１】
締め付け固定部３６の基端側には、接続プレート１４ＣにＯリング３５を介して装着された管状の処置具口金部材３４が取り付けられている。この処置具口金部材３４の挿入部１３側には、固定部材３９を介して処置具チャンネルチューブ４０が固定されている。
【００４２】
そして、この固定部材３９及び処置具チャンネルチューブ４０を覆うようにチャンネルカバー１４ｂが設けられている。このようにして処置具挿通口部１４Ｂが形成されている。
【００４３】
締め付け固定部３６の締め付け部３６ａは、先端側に基端側開口端３３を有して先端部が先細のテーパー形状に形成されている。また、締め付け部３６ａは、基端側開口端３３を介して処置具チャンネル２２ａの長手方向に切り欠き３６ｃを有して構成されている。
【００４４】
尚、締め付け部３６ａは、処置具チャンネル２２ａ内に挿通されたワイヤ２３ｂと接触して締め付ける接触部３６ａ１を有して構成されている。
【００４５】
そして、この締め付け部３６ａには、摘み操作部３１に装着された接続部３２の嵌合穴が嵌合される。この接続部３２の嵌合穴は、内径が先細のテーパー形状に形成されており、この嵌合穴の内面が押圧部３２ａとして構成されている。
【００４６】
従って、接続部３２が装着された摘み操作部３１を回動させて接続部３２を摘み操作部３１の回動軸の挿入部１３側方向に移動すると、接続部３２の押圧部３２ａによって締め付け部３６ａを縮径する方向に押圧することで、処置具チャンネル２２ａに挿通するフック処置具２３のワイヤ２３ｂを基端側開口端３３にて締め付けて固定できるようになっている。
【００４７】
このような締め付け固定部３６の挿入部１３側基端部には、ねじ部３６ｂが形成されている。このねじ部３６ｂには、摘み操作部３１に設けられたねじ部３１ｂが螺合される。すなわち、締め付け固定部３６には、ねじ部３６ｂとねじ部３１ｂとの螺合によって摘み操作部３１が相対的に回動自在に取り付けられている。
【００４８】
摘み操作部３１は、図４に示すように、外周面から回動軸方向に向けて内周面を連通する少なくとも１つのねじ穴３１ａを有している。このねじ穴３１ａには、突起部を構成するねじ３８が螺合されている。この場合、ねじ３８は、摘み操作部３１の内周面から突起するように配置されている。
【００４９】
本実施の形態では、摘み操作部３１の締め付け固定部３６からの抜け落ちを防止する抜け落ち防止部である抜け落ち防止部材３７を連結部１４に設けている。
【００５０】
具体的には、抜け落ち防止部材３７は、締め付け固定部３６の外周面と摘み操作部３１の内周面との間に配置されて、挿入部１３側の基端部が締め付け固定部３６に固定された円筒状部材で構成されたものである。
【００５１】
そして、抜け落ち防止部材３７の先端側には、摘み操作部３１のねじ３８の回動軸方向への移動を規制して摘み操作部３１の抜け落ちを防止する規制部であるフランジ３７ｂが設けられている。  
尚、摘み操作部３１のねじ穴３１ａ及びねじ３８は、２個以上の複数個設けて構成しても良い。また、ねじ３８は、先端面が抜け落ち防止部材３７の外周面に接触しない程度に突出させることが望ましい。
【００５２】
また、抜け落ち防止部材３７のフランジ３７ｂの回動軸方向における位置は、前記摘み操作部３１の接続部３２が確実に締め付け部３６ａを押圧してワイヤ２３ｂを締め付け固定可能とする位置に設けることが望ましい。
【００５３】
従って、抜け落ち防止部材３７を設けたことによって、締め付け固定部３６の締め付け部３６ａと接続部３２の押圧部３２ａとによるワイヤ２３ｂの締め付け固定作用の有無に拘わらず、摘み操作部３１の締め付け固定部３６からの抜け落ちを確実に防止することができる。
【００５４】
尚、摘み操作部３１に装着される接続部３２は、押圧部３２ａを有する嵌合穴を備えた構成であれば良く、例えば図４に示すような他の処置具を装着可能なねじ部３２ｂを備えた構成でなくても良い。
【００５５】
接続部３２がねじ部３２ｂを備えた構成である場合、この接続部３２のねじ部３２ｂにはフック処置具２３以外の処置具のワイヤ挿入用のガイド部材４１がねじ部４１ｂとの螺合によって装着される。
【００５６】
フック処置具２３以外の処置具は、ガイド部材４１が装着されたことにより、該ガイド部材４１のガイド面４１ａに導かれて基端側開口端３３から処置具チャンネル２２ａに挿通され、挿入部１３の先端側開口端２２まで導かれる。
【００５７】
尚、このガイド部材４１の開口部は、接続部３１と同じように、内部に向けて内径が先細りのテーパー形状に形成されたガイド面４１ａを有している。このことにより、基端側開口端３３よりワイヤを挿通する処置具である場合には、この処置具のワイヤの先端部をそのガイド面４１ａによって効率的に基端側開口端３３へと導くことができる。また、このガイド部材４１は、必ずしも必須な構成部材ではなく、このガイド部材４１を設けなくても本発明の課題を解決することが可能である。
【００５８】
次に、本実施の形態の内視鏡装置の特徴となる作用を、図４及び図５を参照しながら説明する。
【００５９】
いま、作業者が、内視鏡装置１を用いてジェットエンジン内の観察を行うものとする。この場合、挿入部１３の先端部１７をジェットエンジン内の奥まで挿入するために、ジェットエンジン内のタービンブレードに引っ掛けて係止するためのフック処置具２３が用いられる。
【００６０】
フック処置具２３は、図１に示すように先端部にフック部２３ａと、このフック部２３ａが結合されたワイヤ２３ｂと有して構成されている。
【００６１】
このフック処置具２３は、挿入部１３の先端部１７の先端側開口端２２からフック処置具２３のワイヤ２３ｂの先端部を挿通し、その後、挿入部１３内及び連結部１４内の処置具チャンネル２２ａ（図４参照）に挿通させて、このワイヤ２３ｂの先端部を図４に示す締め付け固定部３６、基端側開口端３３を介して接続部３２の嵌合穴（又はガイド部材４１の開口部）から延出させる。
【００６２】
尚、フック部２３ａは、通常アルミなどで構成されているが、例えば、樹脂で構成すると、仮にかなり強い負荷でフック部２３ａのみが外れてしまった場合でもジェットエンジンの熱により溶けてしまうことが考えられる。
【００６３】
その後、作業者は、フック処置具２３のフック部２３ａ（図１参照）をタービンブレードに引っ掛けた状態で、さらに、連結部１４の接続部３２の嵌合穴から延出されるワイヤ２３ｂを引き寄せる。
【００６４】
次いで、作業者は、摘み操作部３１を回動させることで、接続部３２を摘み操作部３１の回動軸の挿入部１３側方向に移動させ、接続部３２の押圧部３２ａによって締め付け部３６ａを縮径する方向に押圧することで、処置具チャンネル２２ａに挿通するフック処置具２３のワイヤ２３ｂを基端側開口端３３にて締め付けて固定する。
【００６５】
このことにより、フック部２３ａがタービンブレードに引っ掛けた状態で係止され、この状態でタービンブレードを回転させることにより、挿入部１３の先端部１７をジェットエンジン内部へと導いて所望する箇所まで移動させて、被倹部位の観察が行われる。
【００６６】
このとき、本実施の形態では、連結部１４に抜け落ち防止部材３７が設けられていることによって、摘み操作部３１を回動操作する以前でも、連結部１４締め付け固定部３６から摘み操作部３１が分離することなく装着されているので、作業者は摘み操作部３１を円滑に操作できる。
【００６７】
また、観察終了後、フック部２３ａをタービンブレードから取り外す場合も、作業者は摘み操作部３１を締め付け固定時とは逆方向に回動させ、接続部３２が摘み操作部３１の回動軸のガイド部材４１側方向に移動させるだけで、接続部３２の押圧部３２ａが締め付け部３６ａから離間して、フック処置具２３のワイヤ２３ｂの締め付け固定状態が解除される。
【００６８】
作業者は、フック処置具２３の装着時とは逆の動作、すなわち、フック処置具２３のフック部２３ａを先端部１７の先端側開口端２２から引き抜いて抜去すれば良い。
【００６９】
フック処置具２３の抜去後においても、本実施の形態では、連結部１４に抜け落ち防止部材３７を設けたことによって、摘み操作部３１の締め付け固定部３６からの抜け落ちが防止されているので、摘み操作部３１は連結部１４から分離することなく装着されている。このことにより、摘み操作部３１の紛失する可能性を危惧する必要性がなくなる。
【００７０】
また、本実施の形態では、フック処置具２３の取付作業の操作性を向上させるための工夫がなされている。すなわち、連結部１４の処置具挿通口部１４Ｂは、図６に示すように、連結部１４の中心軸に鉛直な面において、所定の角度θ分、図中右側方向に回動させた位置に配設されている。
【００７１】
このため、基端側開口端３３は、図５に示すように、操作部１５の本体部１５Ａの図中右側側面部方向に向いた構成となる。これにより、例えば、基端側開口端３３よりフック処置具２３以外の処置具を使用する場合、操作部１５の操作性も損なうことなく、処置具の操作性も向上させることができる。
【００７２】
尚、本実施の形態では、処置具挿通口部１４Ｂを、図中右側方向に所定角度θ分回動させた位置に配置した構成、つまり、作業者の左手による保持に対応できるような構成について説明したが、これに限定されることはなく、図中左側方向に所定角度θ分回動させた位置に設けても良い。また、所定角度θについても特に限定することはなく、使い勝手の良い角度θに設定すれば良く、所定の角度に設定可能なように回動可能に構成してもよい。
【００７３】
従って、本実施の形態によれば、締め付けナットである摘み操作部３１を締め付け固定部３６に締め付け可能に装着でき且つ分離しない構成のロック機構３０とすることで、摘み操作部３１の紛失を防ぐことができるとともに、操作性を向上させることが可能となる。
【００７４】
また、内視鏡装置１は、勿論、通常の処置具を用いることも可能である。この場合、作業者は、処置具を基端側開口端３３を介して処置具チャンネル２２ａに挿通させ、先端部１７の先端側開口端２２から延出させて使用する。ここで、処置具を保持したい場合には、前記実施の形態と同様に摘み操作部３１を回動させることで、接続部３２の押圧部３２ａによって押圧して、処置具チャンネル２２ａに挿通する処置具のワイヤを基端側開口端３３にて締め付けて固定すれば良い。
【００７５】
尚、本実施の形態においては、内視鏡装置１には、ショルダ式の工業用の内視鏡装置を例に挙げて説明したが、これに限定されるものではなく、挿入部を装置本体に巻回して収納する大型の工業用の内視鏡装置に適用してもよいことは勿論である。
【００７６】
また、上述した実施形態における内視鏡装置は、湾曲部１８を備えた挿入部１３、操作部１５及びユニバーサルケーブル１６を有する内視鏡２と、装置本体３とから構成されていたが、これに限られるものではなく、例えば、湾曲部１８の無い挿入部１３を有する内視鏡２であったり、操作部１５が挿入部１３の基端側に無い内視鏡（例えば操作部１５がリモコン式の内視鏡）２であったり、湾曲部１８の有無に拘わらず挿入部１３を備えた操作部１５のみのもの（例えば装置本体３を備えてないタイプの内視鏡装置１）など、どのようなものであっても良い。
【００７７】
また、本実施の形態の内視鏡装置１は、工業用の内視鏡装置に限定されず、医療用の内視鏡装置に適用しても良い。
【００７８】
本発明は、以上述べた実施の形態及び変形例のみに限定されるものではなく、発明の要旨を逸脱しない範囲で種々変形実施可能である。
【図面の簡単な説明】
【００７９】
【図１】本発明の一実施の形態を示す内視鏡装置を、装置本体からモニタを開成した状態で示す斜視図。
【図２】図１の連結部を備えた操作部を手元側からみた状態の斜視図。
【図３】図２の連結部の摘み操作部近傍の拡大斜視図。
【図４】連結部に設けられたロック機構の構成を説明するもので、図３の連結部の一部破断した断面図。
【図５】図２の操作部を上から見た場合の外観構成を示す上面図。
【図６】図５の操作部を連結部側から見た場合の正面図。
【符号の説明】
【００８０】
１…内視鏡装置、
２…内視鏡、
３…装置本体、
１３…挿入部、
１４…連結部、
１４Ａ…本体部、
１４Ｂ…処置具挿通口部、
１４Ｃ…接続プレート、
１５…操作部、
１５Ａ…本体部、
１５Ｂ…把持部、
１５Ｃ…ジョイスティック、
１６…ユニバーサルコード、
１７…先端部、
１８…湾曲部、
１９…可撓管部、
２２ａ…処置具チャンネル、
２２…先端側開口端、
２３…フック処置具、
２３ａ…フック部、
２３ｂ…ワイヤ、
３０…ロック機構、
３１…摘み操作部、
３２…接続部、
３２ａ…押圧部、
３２…接続部、
３３…基端側開口端、
３６…締め付け固定部、
３６ａ…締め付け部、
３７…防止部材、
３７ｂ…フランジ。
【図１】
0005259258.tif 000002
【図２】
0005259258.tif 000003
【図３】
0005259258.tif 000004
【図４】
0005259258.tif 000005
【図５】
0005259258.tif 000006
【図６】
0005259258.tif 000007